(57)【要約】【課題】本発明は屋外において携帯型移動機器の電池残量が低下した時の対応策として、アルカリ乾電池又はマンガン乾電池を使用した簡易充電器により携帯型移動機器を短時間使用するだけでなく、市販されている簡易充電器にはない携帯用移動機器の内臓バッテリを充電する機能を持ち且つ効率の優れたパワータンクシステムを提供する。【解決手段】パワータンクシステムは、図１による構成とし、構造としては図２に示す形状とする。使用する環境に左右されずにバッテリを満充電するための充電回路と電源として携帯電話機を１回半以上満充電可能なリチウムイオン電池を使用し、充電放電制御回路と備えたバッテリとして効率も良く電池の外形も携帯時に適した形状となる実用的で廉価なパワータンクシステムとする。【選択図】図１
2006141187.tif 000002
【特許請求の範囲】
【請求項１】
携帯電話機及び携帯型移動機器の電池残量が低下した時、環境に左右されずに携帯型移動機器を満充電するための充電回路と電源として携帯電話機を１回半以上満充電可能なリチウムイオン電池とリチウムイオン電池の保護回路と充電放電制御回路とＤＣ／ＤＣステップアップコンバータと充電放電の運用状態が判別可能なＬＥＤ表示部とを備えたバッテリブロックと、携帯電話機専用のＡＣ充電器用入力コネクタと外部入力コネクタと充電回路を備えた入力ブロックと、屋外において充電するときに必要な携帯電話機用出力コネクタと外部出力コネクタとを備えた出力ブロックと、付属品として入力ブロック及び出力ブロックに接続する携帯電話機又は携帯型移動機器の汎用性を考慮した入力用変換アダプタ及び出力用変換アダプタからなることを特徴とするパワータンクシステム。
【請求項２】
バッテリとしてリチウムイオン電池を使用することにより、電池のメモリー効果に対する特性を改善し、効率も良く外形も携帯時に適した形状となる実用的で廉価な請求項１に記載のパワータンクシステム。
【請求項３】
付属品として入力ブロック及び出力ブロックに接続する変換アダプタの種類を追加することにより、接続可能な携帯電話機又は携帯型移動機器の汎用性を更に拡張可能な請求項１に記載のパワータンクシステム。
【請求項４】
充電放電制御回路によりパワータンクシステムを充電しながら出力ブロックに接続した携帯電話機及び携帯型移動機器を使用でき且つ充電も可能な請求項１に記載のパワータンクシステム。
【発明の詳細な説明】
【技術分野】
【０００１】  本発明は、携帯型移動機器の電池残量が低下した時使用する環境に左右されずに携帯型移動機器を充電するためのパワータンクシステムに関する。
【背景技術】
【０００２】  屋外において携帯型移動機器の電池残量が低下した時の緊急対応策として、アルカリ乾電池又はマンガン乾電池を使用した簡易充電器により携帯型移動機器を約１時間使用する事が出来るものもある。
但し、市販されている簡易充電器は携帯用移動機器の内臓バッテリを充電する機能は持たず電源を供給するだけである。（例えば、特許文献１参照。）
【特許文献１】特開２００４−１８０４８１号公報
【発明の開示】
【発明が解決しようとする課題】
【０００３】  従来の携帯型移動機器の簡易充電器は携帯型移動機器の内臓リチウムイオン電池を充電する機能は持たず電源を供給するだけという欠点があった。
また、ニッケル水素二次電池を使用した携帯電話機用充電器においても携帯電話機を満充電する為には使用電池の外形が大きくなり、携帯するには実用的でなく、電池のメモリー効果等の特性も考慮すると効率が著しく低下するという欠点があった。【０００４】  本発明は、以上のような欠点を解決した携帯電話機及び携帯型移動機器を満充電するパワータンクシステムを提供することを目的とする。
【課題を解決するための手段】
【０００５】  上記目的を達成するために、本発明は携帯電話機及び携帯型移動機器の電池残量が低下した時、使用する環境に左右されずにバッテリを満充電するための充電回路と電源として携帯電話機を１回半以上満充電可能なリチウムイオン電池とリチウムイオン電池の保護回路と充電放電制御回路とＤＣ／ＤＣステップアップコンバータと充電放電の運用状態が判別可能なＬＥＤ表示部とを備えたバッテリブロックと、携帯電話機専用のＡＣ充電器用入力コネクタと外部入力コネクタと充電回路を備えた入力ブロックと、屋外において充電するときに必要な携帯電話機用出力コネクタと外部出力コネクタとを備えた出力ブロックと、付属品として入力ブロック及び出力ブロックに接続する携帯型移動機器の汎用性を考慮した入力用変換アダプタと出力用変換アダプタとでパワータンクシステムを構成する。
また、内臓バッテリとしてリチウムイオン電池を使用することにより、電池のメモリー効果に対する特性も改善され、バッテリとして効率も良く電池の外形も携帯時に適した形状となる実用的で廉価なパワータンクシステムを提供する。
【発明の効果】
【０００６】  上述したように本発明のパワータンクシステムは、携帯電話機及び携帯型移動機器の電池残量が低下した時、使用する環境に左右されずにバッテリを満充電するための充電回路と携帯電話機を１回半以上満充電可能なリチウムイオン電池を内臓電源として採用し実用性を追求した結果、下記に説明する効果が得られる。【０００７】  バッテリとしてリチウムイオン電池を使用することにより、電池のメモリー効果に対する特性も改善され、バッテリとして効率も良く電池の外形も携帯時に適した形状となり繰り返し充放電が可能な為、経済的で且つ実用的で廉価なパワータンクシステムを提供できるという効果がある。【０００８】  保護回路を内蔵したリチウムイオン電池を使用する事により、過充電と過放電及び温度制御を行いリチウムイオン電池を保護する機能により、充電放電制御回路によりパワータンクシステムを充電しながら出力ブロックに接続した携帯電話機及び携帯型移動機器を使用でき且つ充電も出来るという効果がある。【０００９】  入力ブロックにＵＳＢコネクタが接続可能なため、例えばパソコンのＵＳＢコネクタ利用しパワータンクシステムのリチウムイオン電池を充電することが可能となり国内外を問わず本システムが利用できるという効果がある。
【発明の実施するための最良の形態】
【００１０】  以下、本発明の実施の形態を図１〜図７に基づいて説明する。
【００１１】  図１は携帯電話機をパワータンクシステムにより満充電する場合の一実施の形態を示すブロック図であり、１は入力ブロック、２はバッテリブロック、３は出力ブロックとで構成される。
【００１２】  入力ブロック１は、携帯電話機１９専用のＡＣ充電器用入力コネクタ５とその他の外部入力コネクタ６とバッテリブロック２内のリチウムイオン電池９を充電するための充電回路７と突合せダイオード８とで構成されている。
【００１３】  バッテリブロック２は、携帯電話機内臓のリチウムイオン電池２０を満充電するための充電回路１０とその他の携帯型移動機器を充電するための充電回路２１と充電回路２２と充電回路２３と電源として携帯電話機１９を１回半以上満充電可能なリチウムイオン電池９とリチウムイオン電池９の保護回路１１と充電放電制御回路１２とＤＣ／ＤＣステップアップコンバータ１６と充電放電の運用状態が判別可能なＬＥＤ表示部１３とで構成されている。
【００１４】  出力ブロック３は、携帯電話機１９を屋外において充電するときに必要な携帯電話機用出力コネクタ１４とその他の携帯型移動機器を接続するための外部出力コネクタ１５と外部出力コネクタ２４と外部出力コネクタ２５とで構成されている。
【００１５】  付属品１７は、入力ブロック１に接続する携帯型移動機器の汎用性を考慮しＡＣ充電器用入力コネクタ５と接続する携帯型移動機器の入力用変換アダプタで構成されている。
【００１６】  付属品１８は、出力ブロック３に接続する携帯型移動機器の汎用性を考慮し携帯電話機用出力コネクタ１４と接続する携帯型移動機器の出力用変換アダプタで構成されている。
【００１７】  図１の構成において、入力ブロック１とバッテリブロック２と出力ブロック３は図２に示す形態とし１筐体に収納される。
付属品１７は図４に示す形態とし、任意の携帯電話機及び携帯型移動機器と組み合わせて使用できる。
付属品１８は図６に示す形態とし、任意の携帯電話機及び携帯型移動機器と組み合わせて使用できる。
【００１８】  以下、上記構成の動作を説明する。
パワータンクシステムの充電は携帯電話機１９専用のＡＣ充電器４の出力を入力ブロック１のＡＣ充電器用入力コネクタ５に接続するか、又はパソコン等のＵＳＢ出力を外部入力コネクタ６に接続する。
ＡＣ充電器用入力コネクタ５に接続されたＡＣ充電器４は突合せダイオード８を介してバッテリブロック２内のリチウムイオン電池９を充電する。
パソコン等のＵＳＢ出力を外部入力コネクタ６に接続した場合、充電回路７によりバッテリブロック２内のリチウムイオン電池９を充電する。
充電回路７はリチウムイオン電池９の充電用素子として高精度定電圧定電流電源制御用ＩＣを内蔵し、定電流値は外付け抵抗で自由に設定できる。
リチウムイオン電池９は保護回路１１を内蔵しており、電池の過充電と過放電及び温度制御を行いリチウムイオン電池９を保護する。
充電放電制御回路１２はバッテリブロック２内の充電放電制御を行い、充電放電の運用状態はＬＥＤ表示部１３により判別可能となる。
携帯電話機１９を屋外において充電する場合、任意の出力用変換アダプタ付属品１８を用いて携帯電話機１９と携帯電話機用出力コネクタ１４を接続する。
接続後リチウムイオン電池９に蓄電された電気はＤＣ／ＤＣステップアップコンバータ１６を介し充電回路１０へ入力され携帯電話機１９内のリチウムイオン電池２０を満充電する。
充電回路１０はリチウムイオン電池２０の充電用素子として高精度定電圧定電流電源制御用ＩＣを内蔵し、定電流値は外付け抵抗で自由に設定できる。
リチウムイオン電池９は携帯電話機１９を１回半以上満充電する容量を持つ。
【図面の簡単な説明】
【００１９】
【図１】本発明の一実施の形態を示すブロック図である。
【図２】本発明の一実施の形態を示す正面図である。
【図３】本発明の一実施の形態を示す側面図である。
【図４】本発明の一実施の形態を示す付属品１７の正面図である。
【図５】本発明の一実施の形態を示す付属品１７の側面図である。
【図６】本発明の一実施の形態を示す付属品１８の正面図である。
【図７】本発明の一実施の形態を示す付属品１８の側面図である。
【符号の説明】
【００２０】１  入力ブロック
２  バッテリブロック
３  出力ブロック
４  ＡＣ充電器
５  ＡＣ充電器用入力コネクタ
６  外部入力コネクタ
７  充電回路
８  突合せダイオード
９  リチウムイオン電池
１０  充電回路
１１  保護回路
１２  充電放電制御回路
１３  ＬＥＤ表示部
１４  携帯電話機用出力コネクタ
１５  外部出力コネクタ
１６  ＤＣ／ＤＣステップアップコンバータ
１７  付属品（入力用変換アダプタ）
１８  付属品（出力用変換アダプタ）
１９  携帯電話機
２０  リチウムイオン電池
２１  充電回路
２２  充電回路
２３  充電回路
２４  外部出力コネクタ
【図１】
2006141187.tif 000003
【図２】
2006141187.tif 000004
【図３】
2006141187.tif 000005
【図４】
2006141187.tif 000006
【図５】
2006141187.tif 000007
【図６】
2006141187.tif 000008
【図７】
2006141187.tif 000009